(57)【要約】【課題】集塵装置又は脱臭装置の片方のみが装着された場合でも、両装置が装着された場合と同一の送風量で運転することができる空気清浄機を提供すること。【解決手段】集塵装置５又は脱臭装置６，７が装着位置に装着されていることを検知する装着検知スイッチ１２，１３，１４を設けて、この装着検知スイッチ１２，１３，１４のＯＮ、ＯＦＦ信号が制御部１０に送られるようにし、集塵装置５及び脱臭装置６，７の両方を装着した第１の装着パターン、集塵装置５のみを装着した第２の装着パターン、及び脱臭装置６，７のみを装着した第３の装着パターンの、すべての装着パターンにおいて、同一風量となる送風装置８，９の回転数データ群を制御部１０に備え、運転時に、集塵装置５、脱臭装置６，７の各装着パターンに対して、各々の認識データ群を送風装置８，９に送り、各装着パターンにおいて同一の風量にて送風するようにした。【選択図】        図１
2004293817.tif 000002
【特許請求の範囲】
【請求項１】
吸入口から吸入した空気を吹出口に導く風路を有する本体内に、空気中の粉塵を除去する集塵装置と、臭気成分を脱臭する脱臭電極及び脱臭フィルターを組み合わせた脱臭装置、空気を吸入して送風する送風装置、及び前記本体の運転制御を行う制御部を備え、
前記集塵装置又は脱臭装置が装着位置に装着されていることを検知する装着検知スイッチを設けて、該装着検知スイッチのＯＮ、ＯＦＦ信号が前記制御部に送られるようにし、前記集塵装置及び脱臭装置の両方を装着した第１の装着パターン、前記集塵装置のみを装着した第２の装着パターン、及び前記脱臭装置のみを装着した第３の装着パターンの、すべての装着パターンにおいて、同一風量となる送風装置の回転数データ群を制御部に備え、運転時に、前記集塵装置、脱臭装置の各装着パターンに対して、各々の認識データ群を送風装置に送り、各装着パターンにおいて同一の風量にて送風するようにしたことを特徴とする空気清浄機。
【請求項２】
前記集塵装置として集塵フィルターを用い、前記脱臭電極としてコロナ放電による電極を用い、前記送風装置として送風ファンを用いたことを特徴とする請求項１記載の空気清浄機。
【請求項３】
前記装着検知スイッチのＯＮ、ＯＦＦ信号を利用して、前記集塵装置又は脱臭装置の装着状況を表示部に表示する手段を備えたことを特徴とする請求項１または２記載の空気清浄機。
【発明の詳細な説明】
【０００１】
【発明の属する技術分野】
本発明は、空気中の粉塵の除去または悪臭ガスの除去を行う空気清浄機に係り、より詳しくは、集塵装置及び脱臭装置双方を備え、集塵装置又は脱臭装置単独でも両装置を備えた場合と同一風量で送風することができる空気清浄機に関するものである。
【０００２】
【従来の技術】
従来の空気清浄機には、集塵フィルターを利用した集塵装置と、コロナ放電による脱臭電極及び脱臭フィルターを組み合わせた脱臭装置が配設され、両装置が装着された状態において規定の性能を満足するように、送風量が決定されている（例えば、特許文献１参照）。
【０００３】
【特許文献１】
特開２００１−３５３２１２号公報（第３頁、図１）
【０００４】
【発明が解決しようとする課題】
空気清浄機を使用する場合には、集塵又は脱臭のみを必要とする場合も考えられ、集塵装置又は脱臭装置のいずれかのみを使用することにより、他方の集塵装置又は脱臭装置の無駄な使用をなくすことができる。しかしながら、従来の空気清浄機の場合は、集塵装置及び脱臭装置両方が装着された状態で規定風量になるように、送風装置の送風ファン回転数を設定し、その設定値を制御部に認識させている。しかしながら、集塵装置又は脱臭装置の一方を外すと風圧の圧力損失が小さくなり、インバーターモーター等を使用して送風ファンの回転数を一定の回転数に制御している場合は、風量が増加し、設定された集塵又は脱臭性能が変化して、最適な集塵又は脱臭能力を発揮することができなくなる場合がある。
【０００５】
本発明は上記の課題を解決するためになされたもので、集塵装置及び脱臭装置の両方が装着されている場合だけでなく、集塵装置又は脱臭装置の片方のみが装着された場合でも、両装置が装着された場合と同一の送風量で運転することができる空気清浄機を提供することを目的とする。
【０００６】
【課題を解決するための手段】
本発明に係る空気清浄機は、吸入口から吸入した空気を吹出口に導く風路を有する本体内に、空気中の粉塵を除去する集塵装置と、臭気成分を脱臭する脱臭電極及び脱臭フィルターを組み合わせた脱臭装置、空気を吸入して送風する送風装置、及び本体の運転制御を行う制御部を備え、集塵装置又は脱臭装置が装着位置に装着されていることを検知する装着検知スイッチを設けて、装着検知スイッチのＯＮ、ＯＦＦ信号が制御部に送られるようにし、集塵装置及び脱臭装置の両方を装着した第１の装着パターン、集塵装置のみを装着した第２の装着パターン、及び脱臭装置のみを装着した第３の装着パターンの、すべての装着パターンにおいて、同一風量となる送風装置の回転数データ群を制御部に備え、運転時に、集塵装置、脱臭装置の各装着パターンに対して、各々の認識データ群を送風装置に送り、各装着パターンにおいて同一の風量にて送風するようにしたものである。
【０００７】
【発明の実施の形態】
図１は、本発明の一実施の形態に係る空気清浄機の構成図である。空気清浄機の本体１は、吸入口２から吸入した空気を吹出口３に導く風路を有し、この風路には、大きな埃の除去を目的としたプレフィルター４、プレフィルター４の下流側に位置して空気中の粉塵の除去を行う集塵装置を形成する集塵フィルター５、集塵フィルター５の下流側に位置して臭気成分を脱臭するためにコロナ放電を行う脱臭装置を形成する脱臭電極６、脱臭電極６の下流側に位置して脱臭成分の脱臭を行う同じく脱臭装置を形成する脱臭フィルター７が取り付けられている。
【０００８】
また、かかる風路内であって、脱臭フィルター７の下流側には、空気を吸入する送風ファン８が配設されており、送風ファン８にはインバータ回路内蔵のファン駆動用モーター９が取り付けられている。
【０００９】
また、本体１の前面上部には、本体動作の制御を行う制御部１０、及び運転状態を使用者へ知らせる表示部１１が設けられている。また、本体１の下部には、集塵フィルター５が装着位置に装着されていることを検知するための集塵フィルター装着検知スイッチ１２が設けられ、脱臭電極６が装着位置に装着されていることを検知するための脱臭電極装着検知スイッチ１３が設けられ、さらに脱臭フィルター７が装着位置に装着されていることを検知するための脱臭フィルター装着検知スイッチ１４が設けられている。
【００１０】
図２は、図１に示した空気清浄機の表示部１１の説明図である。表示部１１は、集塵運転が行われていることを使用者へ知らせるための集塵モード表示ランプ１５、及び脱臭運転が行われていることを使用者へ知らせるための脱臭モード表示ランプ１６を備えている。
【００１１】
さらに、最大風量モードである急速モードで運転されていることを使用者へ知らせるための風量急速モード表示ランプ１７、２番目に速い風量モードである強モードで運転されていることを使用者へ知らせるための風量強モード表示ランプ１８、３番目に速い風量モードである弱モードで運転されていることを使用者へ知らせるための風量弱モード表示ランプ１９、及び最小風量モードである静音で運転されていることを使用者へ知らせるための風量静音モード表示ランプ２０を備えている。さらに、使用者が風量の切り替えを行うための風量切替ボタン２１を備え、使用者が運転の入切をするための運転入切ボタン２２を備えている。
【００１２】
図３は、本実施の形態に係る送風ファン制御系のブロック図で、集塵フィルター装着検知スイッチ１２、脱臭電極装着検知スイッチ１３、及び脱臭フィルター装着検知スイッチ１４のＯＮ、ＯＦＦ情報が、制御部１０に送られる。
【００１３】
制御部１０には、あらかじめ、各装着検知スイッチ１２、１３、１４のＯＮ、ＯＦＦパターンによってファン駆動用モーター９に送られる回転数データ群が格納されており、各装着スイッチのＯＮ、ＯＦＦの情報に基づき、回転数データ群がファン駆動用モーター９に送られ、送風ファン８が回転する。同時に、各装着検知スイッチ１２，１３，１４のＯＮ、ＯＦＦ情報に基づき、表示部１１にデータが送られ、表示部１１中の集塵モード表示ランプ１５、及び脱臭モード表示ランプ１６の点灯が行われる。
【００１４】
次に、本実施の形態に係る集塵及び脱臭装置の装着パターンにおける動作について、図１、図４，図５、図６に基づいて説明する。図１に示すように、通常の集塵、及び脱臭両方の運転を行う場合、つまり、集塵フィルター５、脱臭電極６、脱臭フィルター７がすべて装着されている場合（図６の装着パターン１）、それぞれの装着検知スイッチ１２、１３，１４がすべてＯＮになり、制御部１０にあらかじめ格納されているこのパターンで与えられる回転数データ群Ａが、ファン駆動用モーター９に送られ、送風ファン８が回転する。この集塵かつ脱臭運転状況では、図２に示す集塵モード表示ランプ１５が点灯され、かつ脱臭モード表示ランプ１６が点灯される。
【００１５】
また、図４に示すように、集塵装置単独で運転を行う場合、すなわち集塵フィルター５が装着されているが、脱臭電極６及び脱臭フィルター７が未装着の場合（図６の装着パターン２）、制御部１０にあらかじめ格納されているこのパターンで与えられる回転数データ群Ｂが、ファン駆動用モータ９へ送られ、送風ファン８が回転する。この集塵運転状況では、図２に示す集塵モード表示ランプ１５が点灯され、脱臭モード表示ランプ１６は点灯されない。
【００１６】
さらに、図５に示すように、脱臭装置単独目的での運転を行う場合、すなわち、集塵フィルター５が未装着であるが、脱臭電極６及び脱臭フィルター７が装着されている場合（図６の装着パターン３）、制御部１０にあらかじめ格納されているこのパターンで与えられる回転数データ群Ｃが、ファン駆動用モータ９へ送られ、送風ファン８が回転する。この脱臭運転状況では、集塵モード表示ランプ１５は点灯されず、脱臭モード表示ランプ１６が点灯される。
【００１７】
なお、脱臭電極６が装着され、脱臭フィルター７が未装着の場合は、脱臭電極６で発生するオゾン等が放出されてしまうため、エラー表示を行い、運転は停止状況となり、運転は行わない（図６の装着パターン４）。また、脱臭電極６が未装着で、脱臭フィルター７が装着されている場合もエラー表示を行い、運転は停止状況となり、運転は行わない（図６の装着パターン４）。
【００１８】
このように、集塵及び脱臭装置両方が装着されている場合だけでなく、集塵装置あるいは脱臭装置の片方だけが装着されている場合でも、両装置が装着されている場合と同じ風量で送風される。このため、集塵又は脱臭単独目的による運転手段を得ることができ、使用者の使用目的により一方の浄化装置の取り外しが可能となり、もう一方の浄化装置の無駄な使用を抑えることができる。
【００１９】
また、装着検知スイッチ１２，１３，１４のＯＮ、ＯＦＦ情報を利用して表示部１１に装着、未装着を示す表示ランプ１５，１６を設けたので、どの浄化装置が装着されているか、及び集塵脱臭運転、集塵運転、脱臭運転、どの送風回転数データ群で運転されているかを使用者に知らせることができる。
【００２０】
【発明の効果】
以上の説明から明らかなように、本発明によれば、集塵装置及び脱臭装置両方が取り付けられている空気清浄機において、集塵及び脱臭装置両方を装着して使用する場合だけでなく、集塵装置あるいは脱臭装置各々片方のみを装着した場合でも、両方の装置を装着した場合と同一の風量にて送風し、集塵又は脱臭の単独目的での運転手段を得ることができ、使用者の使用目的により一方の浄化装置の取り外しが可能となり、もう一方の浄化装置の無駄な使用を抑えることができる。
【図面の簡単な説明】
【図１】本発明の実施の形態に係る空気清浄機の構成図である。
【図２】図１の空気清浄機の表示部である。
【図３】図１の空気清浄機の制御系のブロック図である。
【図４】図１の脱臭装置を外した場合の空気清浄機の作用説明図である。
【図５】図１の集塵装置を外した場合の空気清清浄機の他の作用説明図である。
【図６】本発明の空気清浄機の集塵装置、脱臭装置の装着運転動作の説明図である。
【符号の説明】
１  本体、２  吸入口、３  吹出口、５  集塵フィルター（集塵装置）、６  脱臭電極（脱臭装置）、７  脱臭フィルター（脱臭装置）、８  送風ファン（送風装置）、９  ファン駆動用モーター、１０  制御部、１１  表示部、１２  集塵フィルター装着検知スイッチ、１３  脱臭電極装着検知スイッチ、１４  脱臭フィルター装着検知スイッチ、１５  集塵モード表示ランプ、１６  脱臭モード表示ランプ。
【図１】
2004293817.tif 000003
【図２】
2004293817.tif 000004
【図３】
2004293817.tif 000005
【図４】
2004293817.tif 000006
【図５】
2004293817.tif 000007
【図６】
2004293817.tif 000008